(57)【要約】【課題】ベルトに孔を設けずに、バックルの係止金具でベルトの裏側を係止するようにしたバックルアジャスタであって、バックルに大きな引張力が作用する場合でも、強大な係止力を発揮することにより、ベルトの緩みを防止することができるバックルアジャスタを提供する。【解決手段】バックルアジャスタ２５は合成樹脂からなり、ベルト３の自由端側の裏側に設けられた帯形状を有すると共に、該帯形状の短幅方向に形成された凹溝２６を長手方向に所定間隔で複数形成してなり、バックル１の係止金具７に形成された係止部７ｂをバックルアジャスタ２５の任意の凹溝２６に係止したり、該凹溝２６から解除することによって、ベルト３を所定長さに固定するようにしたものである。【選択図】図７
2005296370.tif 000002
【特許請求の範囲】
【請求項１】
バックル本体の裏側の一端にベルトの端部が接続されると共に、前記バックル本体の裏側の他端に前記ベルトを挿通し得る幅で設けられた一対の起立片に係止金具が回動自在に設けられてなるバックルに挿着するようにしたベルトを所定長さで固定するためのバックルアジャスタにおいて、
該バックルアジャスタは合成樹脂からなり、前記ベルトの自由端側の裏側に設けられた帯形状を有すると共に、該帯形状の短幅方向に形成された凹溝を長手方向に所定間隔で複数形成してなり、前記係止金具に形成された係止部を前記バックルアジャスタの任意の凹溝に係止したり該凹溝から解除することによって、前記ベルトを所定長さに固定するようにしたことを特徴とするバックルアジャスタ。
【請求項２】
前記ベルトの裏側材に形成された開口から前記バックルアジャスタの凹溝側を露出して該バックルアジャスタの外周付近を前記ベルトの裏側材の開口の周縁付近に縫合することによって取り付けたことを特徴とする請求項１記載のバックルアジャスタ。
【発明の詳細な説明】
【技術分野】
【０００１】
本発明は、バックルに大きな引張力が作用する場合でも、強大な係止力を発揮することによって、ベルトの緩みを防止するようにしたバックルアジャスタに関するものである。
【背景技術】
【０００２】
従来、ベルトに設けられたバックルの一形態として、ベルトの端部に設けられたピンをベルトの自由端側に形成された多数の孔の１つに差し込むことにより、ベルトを所定長さで固定するようにしたものがある。ところが、このタイプのベルトは、ベルト本体に多数の孔を形成する必要があり、その孔からベルトが劣化しやすいという欠点があった。また、このタイプのベルトは、ベルト本体に設けた孔の間隔によってしか長さを調整できないという欠点があり、無段階或いは微小間隔で長さを調整し得るものではなかった。
【０００３】
また、ベルトに孔を形成することなく、無段階で長さを調整することができるように、バックルの挿通部にベルトを通して所望の長さで係止する構造のものが周知であるが、このベルトは、長手方向に引張力を加えると、バックルの係止部においてベルトに滑りが生じ、緩み易いという欠点があった。
【０００４】
そこで、バックルの係止力を増大させるようにした従来の技術として、特許文献１を挙げる。このベルトは、図９（ａ）〜（ｃ）に示すように、バックル本体３０の一端側に、歯３１を有する回動部材３２を軸３４で軸支してベルト３３の端部を歯３１で止着し、バックル本体３０の他端側には係止部材３５を軸３６で回動自在に取り付け、バックル本体３０の他端側と係止部材３５とはベルト３３の自由端３７を挿通する挿入隙間３８を形成してある。また、係止部材３５におけるバックル本体３０の他端側に対向する部位には複数の歯形を直に傾斜状に有するベルト当接部３９が形成されると共に、係止部材３５の一端側には回動作用板４０を傾斜状に設けたことによって、ベルト３３の自由端３７を挿通若しくは抜脱するようにしてある。
【特許文献１】特開２００２−１５９３０８号公報
【発明の開示】
【発明が解決しようとする課題】
【０００５】
上記の特許文献１のバックル３０によれば、係止部材３５のベルト当接部３９の歯形でベルト３３（自由端３７）の裏側を押圧することによってベルト３３を係止するものであるが、ベルト３３の裏側材を直かにベルト当接部３９の突出歯で押圧するため、ベルト３３の裏側材に傷又は変形が生じ、経年的にベルト３３の裏側が劣化しやすいため、引張力に対する強度が衰退するという問題があった。
【０００６】
さらに、特許文献１のように、バックルの係止部材でベルトの裏側を係止する構造のベルトを電気工事、警備員或いは警察官等の職務、その他の用途に使用し、そのような作業や職務に必要な物品をベルトに吊り下げた場合、ベルトに作用する荷重がバックルに対して引張力として作用するため、ベルトが緩み易いという問題が生じる。
【０００７】
本発明は、このような事情に鑑みてなされたもので、ベルトに孔を設けずに、バックルの係止金具でベルトの裏側を係止するようにしたバックルアジャスタであって、バックルに大きな引張力が作用する場合でも、強大な係止力を発揮することにより、ベルトの緩みを防止することができるバックルアジャスタを提供することを目的とする。
【課題を解決するための手段】
【０００８】
上記の目的を達成するために、本発明の請求項１のバックルアジャスタは、バックル本体の裏側の一端にベルトの端部が接続されると共に、前記バックル本体の裏側の他端に前記ベルトを挿通し得る幅で設けられた一対の起立片に係止金具が回動自在に設けられてなるバックルに挿着するようにしたベルトを所定長さで固定するためのバックルアジャスタにおいて、該バックルアジャスタは合成樹脂からなり、前記ベルトの自由端側の裏側に設けられた帯形状を有すると共に、該帯形状の短幅方向に形成された凹溝を長手方向に所定間隔で複数形成してなり、前記係止金具に形成された係止部を前記バックルアジャスタの任意の凹溝に係止したり該凹溝から解除することによって、前記ベルトを所定長さに固定するようにしたことを特徴とする。
【０００９】
また、本発明の請求項２のバックルアジャスタは、請求項１において、前記ベルトの裏側材に形成された開口から前記バックルアジャスタの凹溝側を露出して該バックルアジャスタの外周付近を前記ベルトの裏側材の開口の周縁付近に縫合することによって取り付けたことを特徴とする。
【発明の効果】
【００１０】
以上のように構成された本発明は、バックルの係止金具でベルトの裏側を係止する構造のベルトに適用されるバックルアジャスタであり、バックルに設けられた係止金具の係止部がベルトの裏側に設けられたバックルアジャスタに所定間隔で形成された任意の凹溝に係止される構造としてあるため、ベルトを所望長さに調整することができる。また、従来のようにベルトに形成された孔のためにベルトが劣化したり、ベルトの裏側材に傷又は変形が生じることがない。
【００１１】
また、バックルに回動自在に設けられた係止金具の回動作用片の回動操作によって係止金具の係止部をバックルアジャスタの任意の凹溝に係止したり、該凹溝から解除することができ、この係止金具の係止部がバックルアジャスタの凹溝に係止された状態においては、ベルトに作用する引張力に抵抗する大なる負荷が生じ、バックルのずれを阻止して、ベルトの緩みを効果的に防止することができる。
【００１２】
従って、本発明のバックルアジャスタを適用したベルトを電気工事、警備員或いは警察官等の職務、その他の用途に使用する場合のように、ベルトに重い物品を吊り下げることでバックルに大きな引張力が作用する場合でも、強大な係止力を発揮することによって、ベルトの緩みを防止することが可能となる。
【発明を実施するための最良の形態】
【００１３】
以下、本発明の実施例について図面を参照しながら説明する。
【実施例１】
【００１４】
本実施例のバックル１は、図１、図２または図３に示すように、方形板状のバックル本体２の裏側の一端にベルト３を挿通する起立枠４を有すると共に、起立枠４の上辺の離間位置には２個のフック５、５が形成され、バックル本体２の裏側の他端にはベルト３を挿通し得る幅で設けられた一対の起立片６、６が形成され、これらの起立片６、６間に係止金具７が回動自在に形成されている。
【００１５】
上記の構成において、図４（図４のホルダ８側は表側を図示し、ベルト３の自由端側は裏側を図示してある）に示すように、ベルト３は少なくとも２枚の皮製帯又は合成樹脂製帯等を重ね合わせて接着すると共に周縁付近を糸で縫合してなり、ベルト３の端部をホルダ８に設けられた挿着溝１４（図１参照）に挿着して中空リベット１１で固定することにより接続している。
【００１６】
また、図１に示すように、ホルダ８の端部にはバックル１に設けられた２個のフック５、５を挿入する幅で係止溝１５、１５が形成されると共に、ホルダ８の端部の幅方向には夫々の係止溝１５、１５を貫く挿通孔に係止軸９が挿入され、夫々の係止溝１５、１５においてバックル１の各フック５、５を係止軸９に係止することにより、ベルト３をホルダ８に接続し、また各フック５、５を係止軸９から解除することにより、ベルト３をホルダ８から取り外すことができる。
【００１７】
また、図４に示すように、ベルト３の挿入側の適当位置にはバックルアジャスタ２５が設けられている。図６(ａ）又は(ｂ）において、バックルアジャスタ２５はナイロン６等の合成樹脂からなり、ベルト３よりも細幅の帯形状を有し、周囲に平板部２５ａが形成されると共に、その平板部２５ａ内にて短幅方向に形成された凹溝２６を長手方向に複数形成している。
【００１８】
このバックルアジャスタ２５はベルト３の表側材３ｂと裏側材３ｃとの間に挿着され、図４又は図５に示すようにベルト３の裏側材３ｃに形成した開口２７からバックルアジャスタ２５の凹溝２６の形成部を露呈すると共に、バックルアジャスタ２５の平板部２５ａを開口２７の周縁近傍にて糸２８で縫合したことによって固定している。
【００１９】
また、図１に示すように、バックル本体１の一対の起立片６、６に回動自在に設けられた係止金具７は、夫々の起立片６、６に形成された係止穴６ａ、６ａに係止される係止突起７ａ、７ａを両側に有すると共に、一端側に突出した係止部７ｂがベルト３のバックルアジャスタ２５の凹溝２６に係止される幅を有する一方、両側の係止突起７ａ、７ａを境に折曲して反対側に延長した回動作用片７ｃが先端付近を傾斜状に起立してあり、該回動作用片７ｃを起立する際の操作を容易にしている。
【００２０】
このような構成により、係止金具７は、回動作用片７ｃの起立操作によってバックルアジャスタ２５の凹溝２６に対する係止部７ｂの係止を解除し、また回動作用片７ｃの倒伏操作によって係止部７ｃを凹溝２６に係止するようにしている。
【００２１】
即ち、上記のように構成されたバックル１に、図７に示すようにベルト３を挿通して所定長さで固定するには、図８(ａ）に示すように、係止金具７を起立方向へ回動することによってベルト挿入通路２３を開放した状態にしておき、このベルト挿入通路２３にベルト３の自由端３ａを挿入する。次いで、図８（ｂ）に示すように、係止金具７の回動作用片７ｃを倒伏方向に回動操作して係止部７ｂの端部をベルト３のバックルアジャスタ２５に形成された所望の凹溝２６に係止して、図８（ｃ）に示すように、係止金具７の回動作用片７ｃをバックルアジャスタ２５に接触する付近まで倒伏する。
【００２２】
このような状態において、図８（ｃ）に示すように、係止金具７の係止部７ｂは起立片６の係止穴６ａを垂下した部位を越す位置にあって、ベルト３を身体に挿着した状態で矢印方向に引張力が作用すると、バックルアジャスタ２５の凹溝２６に係止された係止金具７の係止部７ｂは起立片６の係止穴６ａに係合された係止突起７ａ（図６参照）によって回動を阻止する負荷が生じ、上記の引張力に対する大なる抵抗を発揮することとなる。
【００２３】
ちなみに、バックルアジャスタ２５をマジックテープ（商標名）で形成してベルト３の裏側に縫合したものと、本実施によるバックルアジャスタ２５との引張力に対する耐力を比較した実験の結果、本実施例の場合、１１３ｋｇｆの引張力で係止金具７の係止部７ｂがバックルアジャスタ２５の凹溝２６から脱落したが、バックルアジャスタとして上記のマジックテープを使用した場合、３６．５ｋｇｆの引張力で脱落したことから判断すると、本実施例のほうが、約３倍の引張力に耐える構造を有していることが明らかである。
【００２４】
なお、図７に示すように、ベルト３におけるバックル１を接続した側の端部にバックル受片２９の一端をリベット２９ａ等で固定し、このバックル受片２９がバックル１の裏側を覆うようにした保護構造とするのが好ましい。
【産業上の利用可能性】
【００２５】
本発明は、電気工事、警備員或いは警察官の職務等に使用する場合のように、ベルトに重い物品を吊り下げることでバックルに大きな引張力が作用する場合でも、強大な係止力を発揮することによって、ベルトの緩みを防止するバックルアジャスタとして利用することができる。
【図面の簡単な説明】
【００２６】
【図１】本発明に適用するバックルの裏側を示す斜視図である。
【図２】本発明に適用するバックルの裏側平面図である。
【図３】本発明に適用するバックルの側面図である。
【図４】本発明のバックルアジャスタを取り付けたベルトの一部とバックルの破断状態における平面図である。
【図５】図４のＡ−Ａ矢視線断面図である。
【図６】(ａ）は本発明のバックルアジャスタの平面図、(ｂ）は側面図である。
【図７】本発明に適用するバックルにベルトを挿着した状態を示す側面図である。
【図８】(ａ）〜（ｃ）は、本発明に適用するバックルにベルトを挿着する手順を示す断面図である。
【図９】（ａ）は特許文献１のバックルを示す斜視図であり、(ｂ）は断面図、（ｃ）は係止部材の斜視図である。
【符号の説明】
【００２７】
１…バックル
２…バックル本体
３…ベルト
３ｂ…表側材
３ｃ…裏側材
４…起立枠
５…フック
６…起立片
６ａ…係止穴
７…係止金具
７ａ…係止突起
７ｂ…係止部
７ｃ…回動作用片
８…ホルダ
９…係止軸
１１…中空リベット
１４…挿着溝
１５…係止溝
２３…ベルト挿入通路
２５…バックルアジャスタ
２６…凹溝
２７…開口
２８…糸
２９…バックル受片
２９ａ…リベット
【図１】
2005296370.tif 000003
【図２】
2005296370.tif 000004
【図３】
2005296370.tif 000005
【図４】
2005296370.tif 000006
【図５】
2005296370.tif 000007
【図６】
2005296370.tif 000008
【図７】
2005296370.tif 000009
【図８】
2005296370.tif 000010
【図９】
2005296370.tif 000011